(57)【要約】【課題】  エネルギー損失を伴うことなく液体を圧送することのできる液体圧送装置を提供する。【解決手段】  駆動流体管２にディスク式スチームトラップ３とエゼクタ５と圧送通路６をそれぞれ接続する。ディスク式スチームトラップ３の入口側と変圧室１０を連通管９で接続する。連通管９に液位開閉弁４を介在する。エゼクタ５の吸込室２０に吸込通路２２を連通する。吸込通路２２には逆止弁２４を取り付ける。  雨水７の水位が低い場合は、ディスク式スチームトラップ３のディスク弁１７が閉弁しており、エゼクタ５へ吸引力を発生するだけの駆動流体は供給されない。一方、水位が所定の高さになると、ディスク弁１７が開弁して多量の駆動流体がエゼクタ５へ供給され吸引力を発生して雨水７を吸引し、圧送通路６から所定箇所へ圧送する。【選択図】      図１
2005120856.tif 000002
【特許請求の範囲】
【請求項１】
駆動流体源とエゼクタのノズルを駆動流体管で接続して、ノズルの周囲に吸込室を形成し、エゼクタのディフューザを圧送通路と連通して、吸込室と液体溜部を連通する吸込通路を設けたものにおいて、駆動流体管にディスク式スチームトラップを介在して、当該ディスク式スチームトラップの入口側の駆動流体管とディスク式スチームトラップの変圧室とを連通管で連通し、当該連通管に液体溜部の液位に応じて開閉弁する液位開閉弁を取り付けるとともに、ディスク式スチームトラップの変圧室とディスク式スチームトラップの出口側とを常時連通する細孔を設けたことを特徴とする液体圧送装置。
【発明の詳細な説明】
【技術分野】
【０００１】
本発明は、主に各種プラントや石油化学コンビナート等において、水などの液体を高圧の蒸気や圧縮空気等で所定箇所へ圧送する液体圧送装置に関する。
【背景技術】
【０００２】
液体圧送装置は、電動ポンプのように電力を用いることなく、高圧駆動流体の圧力を駆動源として液体を圧送するものである。
【０００３】
この液体圧送装置においては、高圧駆動流体としての高圧蒸気を絶えず供給しなければならず、この供給蒸気の有効利用箇所が別途あれば問題ないのであるが、供給蒸気の適当な有効利用箇所がない場合は、この供給蒸気を廃棄しなければならず、周辺の環境を悪化させたり、また、熱エネルギーの廃棄というエネルギー損失を伴ってしまう問題点があった。
【特許文献１】実開平３−１０６２００号公報
【発明の開示】
【発明が解決しようとする課題】
【０００４】
解決しようとする問題点は、圧送装置へ高圧駆動流体を絶えず供給することなく、圧送に必要な時のみ高圧駆動流体を供給することによって、エネルギー損失を伴うことなく被圧送液体を圧送することのできる液体圧送装置を提供することである。
【課題を解決するための手段】
【０００５】
本発明は、駆動流体源とエゼクタのノズルを駆動流体管で接続して、ノズルの周囲に吸込室を形成し、エゼクタのディフューザを圧送通路と連通して、吸込室と液体溜部を連通する吸込通路を設けたものにおいて、駆動流体管にディスク式スチームトラップを介在して、当該ディスク式スチームトラップの入口側の駆動流体管とディスク式スチームトラップの変圧室とを連通管で連通し、当該連通管に液体溜部の液位に応じて開閉弁する液位開閉弁を取り付けるとともに、ディスク式スチームトラップの変圧室とディスク式スチームトラップの出口側とを常時連通する細孔を設けたことを特徴とする。
【発明の効果】
【０００６】
本発明の液体圧送装置は、駆動流体管にディスク式スチームトラップを介在して、このディスク式スチームトラップの変圧室と入口側の駆動流体管とを連通管で連通し、この連通管に液体溜部の液位に応じて開閉弁する液位開閉弁を取り付けるとともに、ディスク式スチームトラップの変圧室と出口側とを常時連通する細孔を設けたことによって、液体溜部の液位が所定高さになると液位開閉弁が閉弁して、駆動流体管から連通管を通ってディスク式スチームトラップの変圧室へ供給されていた駆動流体が閉止され、一方、変圧室に残留していた駆動流体は細孔を通って出口側へ排出されることにより、ディスク式スチームトラップが開弁して駆動流体をエゼクタに供給し、この時エゼクタで発生する吸引力でもって吸込通路を介して液体溜部から液体を吸引して所定箇所へ圧送することができる。従って、液体溜部に圧送すべき液体が所定の液位になるまで溜まって初めてエゼクタへ高圧の駆動流体が供給されて液体を圧送することにより、多量の高圧駆動流体を廃棄してしまうというエネルギー損失を防止することができる利点がある。
【発明を実施するための最良の形態】
【０００７】
本発明は、ディスク式スチームトラップの開閉弁を利用してエゼクタへの高圧駆動流体の供給と停止を行うものであり、液体の液位検出センサや自動開閉弁等を用いることなく簡単で且つ安価に液体を所望箇所へ圧送することができる。
【０００８】
ディスク式スチームトラップは例えば実開昭５６−８５７９７号公報に開示されているように従来より周知なものである。
【実施例１】
【０００９】
図１は本発明の１実施例の構成図であって、各種工場に数多く設けられている地下ピット１内に溜まった雨水７を圧送する場合に適用した例を示す。液体溜部としての地下ピット１内に配置した駆動流体管２とディスク式スチームトラップ３と液位開閉弁４とエゼクタ５、及び、圧送通路６で液体圧送装置を構成する。
【００１０】
駆動流体管２は、上端を駆動流体としての高圧蒸気源と接続し、下端をディスク式スチームトラップ３の入口８と接続する。駆動流体管２を分岐して連通管９を取り付けて、後述するディスク式スチームトラップ３の変圧室１０と連通する。連通管９には液位開閉弁４を介在する。
【００１１】
液位開閉弁４は弁本体１１とフロート１２とレバー１３で構成して、フロート１２が地下ピット１内の雨水７の水面上に浮かんでおり、図１に示す状態から更に水面が上昇するとフロート１２も上昇して、連結したレバー１３を介して弁本体１１内の図示しない弁体を閉弁させ、駆動流体管２から連通管９とこの液位開閉弁４を通ってディスク式スチームトラップ３の変圧室１０へ供給していた高圧蒸気の供給を停止する。
【００１２】
ディスク式スチームトラップ３の断面構成図を図２に示す。ディスク式スチームトラップ３は、駆動流体管２と接続した入口８と、入口８と連通した入口連通路１５と、入口連通路１５の上端外周に同芯状に形成した出口環１６と、変圧室１０と、変圧室１０内で入口連通路１５と出口環１６の上端部に載置した円板状のディスク弁１７、及び、出口環１６と出口１４を連通する出口連通路１８とで構成する。
【００１３】
入口８側に接続した駆動流体管２と変圧室１０の上部を連通管９で連通するとともに、この連通管９の途中に液位開閉弁４の弁本体１１を配置する。また、出口環１６の周壁の一部に細孔２１を設ける。この細孔２１は、変圧室１０と出口連通路１８を常時連通しており、液位開閉弁４の弁本体１１を通って変圧室１０内へ流入してきた駆動流体としての高圧蒸気の一部を出口連通路１８から出口１４側へ常時流下させている。
【００１４】
図１において、ディスク式スチームトラップ３の出口１４とエゼクタ５の吸込室２０を管路１９で接続する。エゼクタ５は、吸込室２０内に図示しないノズルを内蔵して管路１９と接続し、吸込室２０の下部に吸込通路２２を接続するとともに、エゼクタ５のディフューザ２３を圧送通路６と接続する。吸込通路２２の下端は液体溜部としての地下ピット１の底部に開口する。吸込通路２２の途中には、吸込通路２２の下端側から吸込室２０方向への流体の通過のみを許容し反対方向の流体の通過を阻止する逆止弁２４を取り付ける。
【００１５】
地下ピット１底部の雨水７の水位が低い場合は、駆動流体管２から供給される高圧蒸気が連通管９と液位開閉弁４を通ってディスク式スチームトラップ３の変圧室１０へ流入するために、ディスク式スチームトラップ３のディスク弁１７が入口連通路１５と出口環１６の上端部に着座しており、入口８から出口１４へ高圧蒸気が流下することはない。但し、変圧室１０へ流入した高圧蒸気の一部、すなわち、液位開閉弁４から供給される高圧蒸気量よりも少ない量の蒸気は、細孔２１を通って出口１４からエゼクタ５へと流下するが、蒸気量が極めて少ないためにエゼクタ５で吸引力を発生することはない。
【００１６】
地下ピット１底部の雨水７の水位が上昇するとともにフロート１２も上昇して液位開閉弁４を閉弁すると、ディスク式スチームトラップ３の変圧室１０への高圧蒸気の供給が停止され、変圧室１０内の残留蒸気が細孔２１から排出されて変圧室１０内の蒸気圧力が低下することにより、入口連通路１５側の高圧蒸気によってディスク弁１７が上方へ、又は右側へ変位させられ離座することによって、入口８側の高圧蒸気が出口１４側へ大量に流下する。流下した高圧蒸気は管路１９からエゼクタ５内へ流入して、エゼクタ５の吸込室２０で吸引力を発生して、吸込通路２２から雨水７を吸引して高圧蒸気とともに圧送通路６から所定箇所へ雨水７を圧送する。
【００１７】
雨水７が圧送されて水位が低下すると、フロート１２も降下して液位開閉弁４を開弁させることにより、再度、ディスク式スチームトラップ３の変圧室１０へ高圧蒸気が流入してディスク弁１７が着座することによって、ディスク式スチームトラップ３の入口８から出口１４への高圧蒸気の流下が停止され、エゼクタ５の吸引力も発生しなくなり、吸込通路２２からの雨水７の吸引が止まる。
【００１８】
このように、地下ピット１底部の雨水７の水位に応じて液位開閉弁４が開閉弁することによって、ディスク式スチームトラップ３のディスク弁１７が開閉弁して、エゼクタ５への高圧蒸気の供給と停止を自動的に行うことにより、地下ピット１に所定水位の雨水が溜まったときのみエゼクタ５へ高圧蒸気が供給されて所定箇所へ圧送され、一方、地下ピット１内の水位が低い場合はエゼクタ５へ高圧蒸気は供給されないために、高圧蒸気を無駄に系外へ排出する必要がなく省エネルギーを図ることができる。
【００１９】
本実施例においては、エゼクタ５を１台だけ用いた例を示したが、複数台のエゼクタを並列に配置して使用することもできる。
【産業上の利用可能性】
【００２０】
エゼクタに供給する高圧駆動流体を、液位開閉弁とディスク式スチームトラップで制御するものであり、電動ポンプのような電力を使用することのできない箇所の液体を所定箇所へ自動的に圧送することができる。
【図面の簡単な説明】
【００２１】
【図１】本発明の液体圧送装置の実施例を示す構成図。
【図２】本発明の液体圧送装置に用いるディスク式スチームトラップの一部断面構成図。
【符号の説明】
【００２２】
１  地下ピット
２  駆動流体管
３  ディスク式スチームトラップ
４  液位開閉弁
５  エゼクタ
６  圧送通路
７  雨水
８  入口
９  連通管
１０  変圧室
１２  フロート
１３  レバー
１７  ディスク弁
２０  吸込室
２１  細孔
２２  吸込通路
２３  ディフューザ
２４  逆止弁
【図１】
2005120856.tif 000003
【図２】
2005120856.tif 000004